(57)【要約】【課題】防塵機能を充分に発揮させることが可能となる自脱型コンバインの防塵構造を提供する。【解決手段】刈取部３と仕切り壁６にて仕切られる状態で搭乗運転部７が備えられ、且つ、その下方側に原動部８が備えられ、仕切り壁６と刈取部３との間に形成される隙間を塞ぐ防塵カバーＫが、天井壁部７０と、この天井壁部７０の前部側縁部から下方に向けて縦向き姿勢で延設される前側縦壁部７２と、後部側縁部から下方に向けて縦向き姿勢で延設される後側縦壁部７４の夫々を硬質材にて形成する状態で備えて構成され、穀稈搬送装置３８の搬送終端部から刈取穀稈の穂先部を案内する可撓性シート体６５が、前側縦壁部７２に接する状態で設けられる。【選択図】図２
2011244785.tif 000002
【特許請求の範囲】
【請求項１】
植立穀稈を刈り取る刈取装置及びその刈取装置にて刈り取った穀稈を脱穀装置に搬送する穀稈搬送装置を有する刈取部が備えられ、
走行機体の前部の横一側箇所に、前記刈取部と仕切り壁にて仕切られる状態で搭乗運転部が備えられ、且つ、その搭乗運転部の下方側に原動部が備えられ、
前記脱穀装置の前部側箇所に、前記穀稈搬送装置から受け渡されてフィードチェーンにて株元側が挟持されて搬送される刈取穀稈の穂先側を受止めて扱室に流下案内する入口プレートが備えられ、
前記仕切り壁と前記刈取部との間に形成される隙間を塞ぐ防塵カバーが備えられている自脱型コンバインの防塵構造であって、
前記防塵カバーが、前記仕切り壁から前記刈取部側に向かって突出する状態で前記隙間の上部を覆う天井壁部、この天井壁部の前記刈取部側の縁部のうちで機体前部側に位置して機体後方側ほど前記仕切り壁から離れるように斜め姿勢となる前部側縁部から下方に向けて連なる状態で縦向き姿勢で延設される前側縦壁部、及び、前記天井壁部の前記刈取部側の縁部のうちで前記前部側縁部よりも機体後方側に位置する後部側縁部から下方に向けて連なる状態で縦向き姿勢で延設されてその下端部が前記入口プレートに接続される後側縦壁部の夫々を硬質材にて形成する状態で備えて構成され、
前記穀稈搬送装置の搬送終端部から前記入口プレートに向けて刈取穀稈の穂先部を案内する可撓性シート体が、前記防塵カバーにおける前記前側縦壁部に接するとともに前記入口プレートに上下に重なり合う状態で設けられている自脱型コンバインの防塵構造。
【請求項２】
前記天井壁部が、前記刈取部側に位置するほど下方に位置する傾斜姿勢に形成されている請求項１記載の自脱型コンバインの防塵構造。
【請求項３】
前記原動部に、前記刈取部とは反対側箇所から冷却用空気を吸引し、前記刈取部側に向けて吹き出すように冷却風が通過するように通風する通風手段が備えられ、
前記前側縦壁部が、冷却風の通過を許容し且つ塵埃の通過を阻止する小径の通気孔を備えた多孔状体にて形成されている請求項１又は２記載の自脱型コンバインの防塵構造。
【発明の詳細な説明】
【技術分野】
【０００１】
本発明は、植立穀稈を刈り取る刈取装置及びその刈取装置にて刈り取った穀稈を脱穀装置に搬送する穀稈搬送装置を有する刈取部が備えられ、前記走行機体の前部の横一側箇所に、前記刈取部と仕切り壁にて仕切られる状態で搭乗運転部が備えられ、且つ、その搭乗運転部の下方側に原動部が備えられ、前記脱穀装置の前部側箇所に、前記穀稈搬送装置から受け渡されてフィードチェーンにて株元側が挟持されて搬送される刈取穀稈の穂先側を受止めて扱室に流下案内する入口プレートが備えられ、前記仕切り壁と前記刈取部との間に形成される隙間を塞ぐ防塵カバーが備えられている自脱型コンバインの防塵構造に関する。
【背景技術】
【０００２】
上記防塵カバーは、上記した仕切り壁と刈取部との間の隙間からワラ屑等が原動部に入り込んで、原動部に悪影響を与えたりすることがないように前記隙間を閉塞させるようにしたものであるが、従来では、前記防塵カバーが、仕切り壁に固定状態で取り付けられて刈取部側に向かって延びる平面視で長方形状に形成された可撓性を有する樹脂シートにて構成され、この可撓性を有する防塵カバーが脱穀装置の入口プレートに載置している状態で受止められる構成となっていた（特許文献１参照。）。
【先行技術文献】
【特許文献】
【０００３】
【特許文献１】特開２００８−１９３９０８号公報
【発明の概要】
【発明が解決しようとする課題】
【０００４】
上記従来構成では、可撓性を有する樹脂シートにて防塵カバーが構成されていることから、刈取作業時や刈取部のメンテナンス作業時等に、防塵カバーが変形し易く、脱穀装置の入口プレートから外れてしまうことがあった。このように脱穀装置の入口プレートから外れた状態のままで刈取作業を行うと、刈取部と仕切り壁との間に隙間ができてしまい、ワラ屑がその隙間から原動部等の機体内部に入り込むおそれがある。
【０００５】
さらに説明を加えると、上記したような防塵カバーは、前記仕切り壁と刈取部との間に形成される隙間、言い換えると、搭乗運転部や原動部が備えられる箇所と刈取部との間に形成される隙間を塞ぐものであるが、この防塵カバーが設けられる箇所は、機体横幅方向の中央側に位置するものであり、走行機体の横外側に位置する作業者が目視し難いものとなり、脱穀装置の入口プレートから外れたままの状態になっていることを作業者が認識できないまま刈取作業を行うおそれがある。
【０００６】
又、上記従来構成では、可撓性を有する樹脂シートにて構成される防塵カバーは、平面視で長方形状に形成されており、一端部が仕切り壁に固定状態で取り付けられて、刈取部側に向かって延びる状態で装着され、他端側が入口プレートに載置されるものであり、防塵カバーの機体前部側の箇所は開放された状態となっており、この開放された箇所からワラ屑等が侵入するおそれがあり、この点からも防塵機能が充分であるとは言えないものとなっていた。
【０００７】
本発明の目的は、防塵機能を充分に発揮させることが可能となる自脱型コンバインの防塵構造を提供する点にある。
【課題を解決するための手段】
【０００８】
本発明に係る自脱型コンバインの防塵構造は、植立穀稈を刈り取る刈取装置及びその刈取装置にて刈り取った穀稈を脱穀装置に搬送する穀稈搬送装置を有する刈取部が備えられ、走行機体の前部の横一側箇所に、前記刈取部と仕切り壁にて仕切られる状態で搭乗運転部が備えられ、且つ、その搭乗運転部の下方側に原動部が備えられ、前記脱穀装置の前部側箇所に、前記穀稈搬送装置から受け渡されてフィードチェーンにて株元側が挟持されて搬送される刈取穀稈の穂先側を受止めて扱室に流下案内する入口プレートが備えられ、前記仕切り壁と前記刈取部との間に形成される隙間を塞ぐ防塵カバーが備えられているものであって、その第１特徴構成は、前記防塵カバーが、前記仕切り壁から前記刈取部側に向かって突出する状態で前記隙間の上部を覆う天井壁部、この天井壁部の前記刈取部側の縁部のうちで機体前部側に位置して機体後方側ほど前記仕切り壁から離れるように斜め姿勢となる前部側縁部から下方に向けて連なる状態で縦向き姿勢で延設される前側縦壁部、及び、前記天井壁部の前記刈取部側の縁部のうちで前記前部側縁部よりも機体後方側に位置する後部側縁部から下方に向けて連なる状態で縦向き姿勢で延設されてその下端部が前記入口プレートに接続される後側縦壁部の夫々を硬質材にて形成する状態で備えて構成され、前記穀稈搬送装置の搬送終端部から前記入口プレートに向けて刈取穀稈の穂先部を案内する可撓性シート体が、前記防塵カバーにおける前記前側縦壁部に接するとともに前記入口プレートに上下に重なり合う状態で設けられている点にある。
【０００９】
第１特徴構成によれば、前記防塵カバーが、前記天井壁部、前記前側縦壁部、及び、前記後側縦壁部の夫々を硬質材にて形成する状態で備えて構成されるものであるから、刈取作業時や刈取部のメンテナンス作業時に防塵カバーの形状が変形し難くなる。防塵カバーは適切な防塵作用を発揮できる状態を維持できるので、塵埃が原動部等の機体内部に侵入することを適切に回避できる。
【００１０】
そして、防塵カバーにおける後側縦壁部が入口プレートに接続されるから、防塵カバーと入口プレートとの間に隙間が発生することを防止できる。又、穀稈搬送装置の搬送終端部から入口プレートに向けて刈取穀稈の穂先部を案内する可撓性シート体が、防塵カバーにおける前側縦壁部に接する状態で設けられるので、防塵カバーと穀稈搬送装置との間に隙間が発生することを防止できる。しかも、可撓性シート体は、入口プレートに上下に重なり合うので、穀稈搬送装置と入口プレートとの間に隙間が発生することを防止できる。
【００１１】
つまり、防塵カバーと入口プレートとの間、防塵カバーと穀稈搬送装置との間、及び、穀稈搬送装置と入口プレートとの間に隙間が発生することを防止できるので、塵埃が原動部等の機体内部に侵入することを適切に回避できる。
【００１２】
又、防塵カバーにおいて、前部側に位置する前側縦壁部は、機体後方側ほど仕切り壁から離れるように斜め姿勢となる状態で設けられるから、刈取穀稈の穂先側が接当することがあっても、搬送の妨げになることがなく傾斜姿勢に沿って滑らかに案内することができ、又、刈取部が走行機体に対して昇降操作されるものであっても、可撓性シート体が斜め姿勢の前側縦壁部に沿ってなじむように案内されて、隙間が発生しない状態でそれらが接する状態が維持できるものとなる。
【００１３】
従って、防塵機能を充分に発揮させることが可能となる自脱型コンバインの防塵構造を提供できるに至った。
【００１４】
本発明の第２特徴構成は、第１特徴構成に加えて、前記天井壁部が、前記刈取部側に位置するほど下方に位置する傾斜姿勢に形成されている点にある。
【００１５】
第２特徴構成によれば、防塵カバーにおいて、前記天井壁部が、刈取部側に位置するほど下方に位置する傾斜姿勢に形成されているから、刈取部にて発生した塵埃がこの天井壁部の上部に乗ることがあっても、刈取作業に伴う走行機体や刈取部の振動に伴って、天井壁部の上部の傾斜面に沿って刈取部側に移動案内されて脱穀装置内に送り込まれることになる。
【００１６】
従って、刈取部において発生するワラ屑等の塵埃が原動部等の機体内部に侵入することを一層適切に回避できる。
【００１７】
本発明の第３特徴構成は、第１特徴構成又は第２特徴構成に加えて、前記原動部に、前記刈取部とは反対側箇所から冷却用空気を吸引し、前記刈取部側に向けて吹き出すように冷却風が通過するように通風する通風手段が備えられ、前記前側縦壁部が、冷却風の通過を許容し且つ塵埃の通過を阻止する小径の通気孔を備えた多孔状体にて形成されている点にある。
【００１８】
第３特徴構成によれば、原動部では、通風手段の通風作用により、刈取部とは反対側箇所から冷却用空気が吸引され、刈取部側に向けて吹き出されるように冷却風が通過することになる。そして、原動部の刈取部側の箇所には、多孔状体にて形成される前側縦壁部が備えられるので、通風手段により通風される冷却風がこの前側縦壁部に形成された通気孔を通して外部に排気されることになる。
【００１９】
その結果、穀稈搬送装置により搬送される途中の刈取穀稈から発生するワラ屑等の塵埃が前側縦壁部に形成された通気孔を通して外部に排気される冷却風によって、刈取部にて発生したワラ屑等の塵埃が搭乗運転部に降りかかることを回避し易いものにできる。
【図面の簡単な説明】
【００２０】
【図１】自脱型コンバインの全体左側面図である。
【図２】自脱型コンバインの全体平面図である。
【図３】自脱型コンバインの全体右側面図である。
【図４】防塵カバー配設部の側面図である。
【図５】防塵カバー配設部の平面図である。
【図６】防塵カバー配設部の正面図である。
【図７】防塵カバー配設部の斜視図である。
【図８】原動部の縦断正面図である。
【図９】原動部カバーを横倒れ開放状態に切り換えるときに要部の縦断正面図である。
【図１０】防塵網の斜視図である。
【図１１】原動部カバーを横倒れ開放状態に切り換えたときの原動部カバーの平面図である。
【図１２】排気管の配置構成を示す側面図である。
【図１３】伝動系統図である。
【図１４】ワンウェイクラッチ配設部の断面図である。
【図１５】刈取部をメンテナンス用退避状態に切り換えた状態の自脱型コンバインの前部の平面図である。
【図１６】別実施形態の防塵カバー配設部の側面図である。
【発明を実施するための形態】
【００２１】
以下、本発明の実施形態を図面に基づいて説明する。
図１〜図３に示すように、自脱型コンバインは、左右一対のクローラ式走行装置１を備えた走行機体２の前部に横軸芯Ｐ周りで昇降操作自在に刈取部３が連結され、走行機体２の後部側箇所に機体横幅方向に並べる状態で脱穀装置４と穀粒タンク５とを備えて、圃場を走行しながら、稲、麦などの穀稈を刈取り、その刈取穀稈を脱穀処理するように構成されている。
【００２２】
走行機体２の前部の横一側箇所には、刈取部３と仕切り壁６にて仕切られる状態で搭乗運転部７が備えられ、且つ、その搭乗運転部７の下方側に原動部８が備えられている。
図２に示すように、搭乗運転部７は、運転座席９の前方に操縦レバー１０などを備えたフロントパネル１１を備え、運転座席９の左側に主変速レバー１２や副変速レバー１３などを備えたサイドパネル１４を備えて構成され、サイドパネル１４の刈取部３側の端部に、搭乗運転部７と刈取部３との間を仕切るための仕切り壁６が設けられている。
【００２３】
原動部８は、図８に示すように、エンジン１５、冷却用のラジエータ１６、通風手段としての冷却風生起用のファン１７、冷却風として吸気される外気の塵埃を除去するための防塵網１８、冷却風を利用して作動油を冷却するオイルクーラ１９等を備えて構成されている。
【００２４】
運転座席９を支持する支持台２０は、開放部が下向きになる側面視略コの字状で、その右側端部に右側壁２１が連設され、この右側壁２１は、冷却風として外気を取り入れるために広い面積の多孔状の空気取り入れ部２２が形成された吸気用ダクトとして機能するように構成され、この右側壁２１には、オイルクーラ１９が一体的に固定する状態で備えられている。
前記ファン１７の作動により右側壁２１に形成された空気取り入れ部２２から吸気した空気がラジエータ１６を通過したのち、原動部８内を通過して刈取部３側に向けて流動して排出されるように構成されている。
【００２５】
前記支持台２０及び前記右側壁２１が一体的に連結されており、これらにより原動部８を囲う原動部カバー２３が構成され、この原動部カバー２３は、適正装着状態（図８参照）と横倒れ開放状態（図９参照、但し図９は倒れ状態の途中を表している）とにわたり、下端の前後向き軸心Ｘ周りで回動自在に走行機体２に支持される構成となっている。ちなみに、図示はしないが、原動部カバー２３は、適正装着状態において適宜箇所が走行機体２側のフレーム（図示せず）にネジにより固定されることになる。
この原動部カバー２３を横倒れ開放状態に切り換えると、原動部８が外方に開放された状態となり、原動部８のメンテナンス作業を容易に行うことができる。
【００２６】
図８及び図１０に示すように、ファン１７の作用により吸気される空気に作用する防塵網１８は、周囲が金属製の枠体２５にて支持され、枠体２５の上部の左右両側に設けられた係止部材２６をラジエータ１６の上部の被係止部２７に係止して適正装着位置に位置決めした状態でラジエータ１６に対して位置保持することができるようになっている。
【００２７】
図８に示すように、原動部カバー２３における防塵網１８の周囲に対向する箇所にはゴム製の接当部材２８が備えられており、原動部カバー２３を適正装着状態にして固定すると、この接当部材２８が防塵網１８の周囲に接当して隙間が発生しないように構成されている。又、図１０に示すように、防塵網１８の周囲のうちで隙間が発生し易い機体前後方向両側部には、ラジエータ１６の周縁部との間の隙間から塵埃が侵入するのを防止するスポンジ材からなる防塵部材２９が備えられている。
この防塵部材２９は、防塵網１８の周囲の全域に亘って設けるようにしてもよい。
【００２８】
原動部カバー２３を横倒れ開放状態に切り換えると、防塵網１８が外方に臨む状態で露出することになり、防塵網１８を上方に持ち上げて係止部材２６の被係止部２７に対する係止を解除することで容易に取り外すことができ、付着している塵埃を除去する作業等を行うことができる。
【００２９】
図１２に示すように、エンジン１５の排ガスが通過するマフラー３０は原動部８の上部に設けられ、このマフラー３０から排ガスを機外に排出すべく案内する排気管３１は、エンジン１５からの排ガスを原動部８の下方側に案内する縦向き案内部３１Ａと、排ガスを機体後方側に案内する前後向き案内部３１Ｂと、それらの途中部の円弧状案内部３１Ｃとで構成されている。そして、縦向き案内部３１Ａと前後向き案内部３１Ｂとは、それらの外部を断熱用の空気層を介装させた状態で覆う円筒状の外筒カバー３２を備えており、又、円弧状案内部３１Ｃには、板体を略Ｕ字状に屈曲させたカバー体３３で覆う形態としており、排気管３１を覆う部材の外表面の温度が極力低い温度になるようにしてある。
【００３０】
排気管３１の外周を覆う部材としては、このように円弧状案内部３１Ｃをカバー体３３で覆う形態に代えて、排気管３１の略全長にわたって断熱用の空気層を介装させた状態で且つ排気管３１に沿って湾曲する状態で外筒（図示せず）を備える二重筒構造にて構成するものでもよい。
【００３１】
図１に示すように、刈取部３は、昇降用の油圧シリンダ３４によって横軸芯Ｐ周りで上下に揺動操作されることにより昇降自在に走行機体２に連結され、この刈取部３は、刈り取り対象の複数の植付け条に位置する植立穀稈を分草する複数の分草具３５、刈り取り対象の植立穀稈を引起す複数の引起し装置３６、引起された植立穀稈の株元を切断して刈り取るバリカン形の刈取装置３７、刈取穀稈を後方の脱穀装置４に搬送する穀稈搬送装置３８とを備えて構成されている。
【００３２】
穀稈搬送装置３８は、刈取穀稈の株元を挟持しながら搬送する株元挟持搬送機構３９と、刈取穀稈の穂先側箇所を係止搬送する穂先係止搬送機構４０と、刈取穀稈の穂先部を載置した状態で案内する穂先案内板４１とを備えて構成され、株元挟持搬送機構３９は搬送終端部から脱穀装置４のフィードチェーン４２に刈取穀稈の株元側を受け渡すように構成されている。
【００３３】
脱穀装置４は、フィードチェーン４２によって刈取穀稈の株元側を挟持して後方に搬送しながら穂先側を扱室４Ａに供給し、刈取穀稈を回動する扱胴４Ｂによって脱穀処理するように構成されている。
【００３４】
図２、図５、図７に示すように、脱穀装置４の機体前部側箇所には、穀稈搬送装置３８から受け渡されてフィードチェーン４２にて株元側が挟持されて搬送される刈取穀稈の穂先側を受止めて供給口４４に流下案内する入口プレート４３が備えられ、刈取穀稈の穂先側をこの入口プレート４３にて受止めて案内しながら脱穀装置４の供給口４４から扱室内部に供給するように構成されている。
【００３５】
脱穀装置４は、扱室４Ａ内で穂先側が扱胴４Ｂによって脱穀処理されて、その脱穀処理で得られた処理物を受網（図示せず）などから漏下させ、漏下した処理物に、揺動選別機構（図示せず）による篩い選別や唐箕（図示せず）からの選別風による風力選別などを施して、処理物を、１番物としての単粒化穀粒、２番物としての枝梗付き穀粒やワラ屑などの混在物、及び、３番物としての切れワラやワラ屑などに選別し、単粒化穀粒を回収して穀粒タンク５に供給するように構成されている。又、脱穀処理されたあとの排ワラはフィードチェーン４２及び排ワラ搬送装置４５により機体後方に搬送されて排ワラ処理装置４６にて細断処理されるように構成されている。
【００３６】
伝動系について説明を加えると、図１３に示すように、エンジン１５の出力がベルトテンション式の脱穀クラッチ４９を介して脱穀装置４に伝達される一方、エンジン１５の出力がベルト伝動装置５０を介してミッションケース５１の入力軸５２に伝達され、ミッションケース５１に備えられた静油圧式の無段変速装置（ＨＳＴ）５３にて変速された後に左右の走行装置１，１に伝達されるように構成されている。又、無段変速装置５３の出力が、変速出力軸５４、ワンウェイクラッチ５５、ベルトテンション式の刈取クラッチ５６を介して刈取部３に伝達されるように構成されている。
【００３７】
前記ワンウェイクラッチ５５は、無段変速装置５３により正転方向並びに逆転方向の夫々に変速出力が変化しても、刈取部３を常に正転方向の回転により駆動することができるようにするものであるが、このワンウェイクラッチ５５は、変速出力軸５４と刈取クラッチ５５のプーリ５７との間に介装されている。
【００３８】
ワンウェイクラッチ５５が故障した場合には、ワンウェイクラッチ５５だけを交換して他の部品は共用することが可能な構成となっている。すなわち、図１４に示すように、変速出力軸５４の外周部にワンウェイクラッチ５５が作用する幅狭の大径部５８とベアリング５９が備えられる小径部６０とを備えた回転体６１を一体回転自在に外嵌してあり、この回転体６１とプーリ５７との間に、一対のベアリング５９、ワンウェイクラッチ５５、抜け止め用サークリップ６２等を各別に組み付ける構成となっており、ワンウェイクラッチ５５が故障した場合には、前記各部品を取り外して、ワンウェイクラッチ５５だけを交換して他の部品はそのまま使用して再度組み付けることができる。
【００３９】
図２及び図１５に示すように、穀稈搬送装置３８の搬送終端部には、後方に向けて延出して入口プレート４３に上方から重なる状態でゴムシート６５（可撓性シート体の一例）が取り付けられている。このようにゴムシート６４を入口プレート４３によって受け止め支持された状態となるように重ね合わさせることで、刈取部３を昇降揺動させても、穀稈搬送装置３８と入口プレート４３との間に隙間が発生することなく、刈取穀稈の穂先側を円滑に案内できるように構成されている。
【００４０】
刈取部３は、走行機体２の前部側に位置して植立穀稈の刈り取り及び刈取穀稈の搬送を実行可能な刈取作業状態と、走行機体２の前方側を開放するメンテナンス用退避状態とに切り換え自在に備えられている。
このような刈取部３を刈取作業状態とメンテナンス用退避状態とに切り換える構成は、周知の技術であるから、具体的な取り外し構成については詳述はしないが、刈取部３が、搭乗運転部７側とは反対側に位置する縦向き軸芯Ｙ周りで揺動自在に走行機体２に支持されており、油圧シリンダ３４との連結箇所や昇降揺動自在に支持される連結箇所等の刈取部３と走行機体２との間の各部連結箇所の連結を解除して、図１５に示すように、刈取部３を縦向き軸芯Ｙ周りで揺動操作させて走行機体２の前方側を開放するメンテナンス用退避状態に切り換えることができるように構成されている。
【００４１】
図２、図４〜図７に示すように、仕切り壁６と刈取部３（穀稈搬送装置３８）との間に形成される隙間を塞ぐことで、脱穀処理の際に刈取作業に伴って発生するワラ屑などの塵埃が、その隙間から下方に向けて落下することを阻止する防塵カバーＫが備えられている。
【００４２】
この防塵カバーＫは、仕切り壁６から刈取部３（穀稈搬送装置３８）側に向かって突出する状態で隙間の上部を覆う天井壁部７０と、天井壁部７０の前部側縁部７１から下方に向けて連なる状態で縦向き姿勢で延設される前側縦壁部７２と、天井壁部７０の後部側縁部７３から下方に向けて連なる状態で縦向き姿勢で延設されてその下端部が入口プレート４３に接続される後側縦壁部７４とを備える構成となっている。
そして、この防塵カバーＫは、上記した天井壁部７０、前側縦壁部７２、後側縦壁部７４の夫々が硬質材の一例としての板金材にて形成されている。
【００４３】
このように防塵カバーＫが硬質材（板金材）にて形成されているから、刈取部をメンテナンス用退避状態に切り換えることがあっても防塵カバーＫの形状が変化することがない。その結果、刈取作業を行ったのち又は刈取作業の途中において、刈取部をメンテナンス用退避状態に切り換えてメンテナンス作業を行った後に、刈取部を再度、刈取作業状態に切り換えた場合にも、防塵カバーＫは適切な防塵作用を発揮できる状態を維持できるので、塵埃が原動部等の機体内部に侵入することを適切に回避できる。
【００４４】
説明を加えると、図４〜図７に示すように、天井壁部７０は、通気性の無い板体を用いて平面視で略三角形状に形成されており、仕切り壁６側の縁部７５には取り付け用のフランジ部７６が一体的に形成されており、天井壁部７０の脱穀装置４側の縁部７７には、仕切り壁６に接続された壁部７８との隙間から載置している塵埃が落下することを防止するための縦面部７９が一体的に形成されている。
【００４５】
図４及び図５に示すように、天井壁部７０の刈取部３（穀稈搬送装置３８）側の縁部は、機体前部側に位置して機体後方側ほど仕切り壁６から離れるように斜め姿勢となる前部側縁部７１と、その前部側縁部７１よりも後方側に位置する後部側縁部７３とからなり、前部側縁部７１及び後部側縁部７３には、下方に向けて折り曲げ形成される状態で縦面部８０，８１が形成され、前部側縁部７１の縦面部８０の内面側にはネジ締結箇所に予めナットを溶接してあり、縦向き姿勢の前側縦壁部７２を縦面部８０の外面側から当て付けてネジを締め付けて固定できるように構成されている。又、後部側縁部７３の縦面部８１に沿って縦向き姿勢の後側縦壁部７４が近接する状態で設けられる。
【００４６】
図４、図６及び図７に示すように、前側縦壁部７２は小径の通気孔８２を多数形成した多孔状体にて形成されており、この前側縦壁部７２は、仕切り壁６の下端部よりも下方側では、仕切り壁６の下方側を通して搭乗運転部７側に向けて延びる横方向延設部７２ａが形成されている。そして、その延設方向先端には固定用の取り付け部７２ｂが形成され、この取り付け部７２ｂがレバー支持用の支持フレーム９０にネジ止め固定するように構成されている。
【００４７】
このように前側縦壁部７２を多孔状体に形成することにより、ファン１７の作動により原動部８における刈取部３とは反対側に位置する右側壁２１の空気取り入れ部２２から吸気されて原動部８内を通過した空気が刈取部３側に向けて通過することを許容し且つ塵埃の通過を阻止するように構成されている。
【００４８】
その結果、仕切り壁６と刈取部３との間に形成される隙間の機体前部側箇所を覆うことにより、刈取部３から発生するワラ屑等の塵埃が仕切り壁６の下方側の開口を通して原動部８に侵入することを適切に防止することができ、しかも、多孔状体からなる前側縦壁部７２を通して刈取部３（穀稈搬送装置３８）側に向けて空気が通過することにより、刈取部３にて発生したワラ屑等の塵埃が搭乗運転部７に向けて入ることを回避させ易いものとなる。
【００４９】
図７に示すように、後側縦壁部７４は、前後方向に沿う前後方向壁部分７４Ａと、機体後方側ほど仕切り壁６から離れるように斜め姿勢となる斜め方向壁部分７４Ｂと、それらの下端部同士にわたって連結される受止め用底板部分７４Ｃとが一体的に形成され、且つ、機体後方側端部には取り付け用の縦面部分７４Ｄが一体的に形成されている。
そして、縦面部分７４Ｄが仕切り壁６に接続された壁部７８にネジ止め固定され、斜め方向壁部分７４Ｂの下端部及び受止め用底板部分７４Ｃが入口プレート４３にネジ止め固定されている。
【００５０】
斜め方向壁部分７４Ｂは、その上端縁が後方側ほど高くなる形態で斜め後方上方向きに傾斜しており、その下端縁が後方側ほど低くなる形態で斜め後方下方側向きに傾斜している。又、受止め用底板部分７４Ｃは、天井壁部７０から落下した塵埃を受け止めて供給口４４に流下案内するように入口プレート４３に連なるように斜め姿勢となるように設けられている。
【００５１】
前側縦壁部７２の下端縁と前後方向壁部分７４Ａの下端縁との間に段差が形成されるように、前後方向壁部分７４Ａの下端縁よりも低い位置まで前側縦壁部７２が延長されている。又、図４に示すように、前側縦壁部７２の下端縁がマフラー３０の下端部と略同じ高さ又はマフラー３０の下端部よりも低い高さに位置するように前側縦壁部７２が配備されている。
【００５２】
図４及び図６に示すように、天井壁部７０は、刈取部３（穀稈搬送装置３８）側に位置するほど下方に位置する傾斜姿勢に形成されている。このように構成することで、刈取作業に伴ってワラ屑等の塵埃が天井壁部７０の上部に飛散することがあっても、走行機体２や刈取部３の振動に伴って徐々に刈取部３側に移動して落下するようになっている。
そして、天井壁部７０における後部側縁部７３の縦面部８１と後側縦壁部７４との間、及び、天井壁部７０の縦面部７９と壁部７８との間には、それらの隙間から塵埃が落下することを防止するためにスポンジ材からなる防塵部材９２が備えられている。
【００５３】
但し、脱穀装置４の供給口４４に近い箇所においては、供給口４４を通して扱室の内部から吹き出すワラ屑等が天井壁部７０の飛散することがないように、上端縁が脱穀装置４の供給口４４に近づくほど高い位置となる斜め状態となる形態で、後側縦壁部７４が天井壁部７０の上面よりも上方に突出する状態で設けられている。
【００５４】
図２に示すように、入口プレート４３に上下に重なり合うように穀稈搬送装置３８に取り付けられているゴムシート６５が、防塵カバーＫにおける前側縦壁部７２及び後側縦壁部７４に接する状態となるように構成されている。このようにゴムシート６５が防塵カバーＫと接する状態で設けられることから、刈取部３を昇降操作してもゴムシート６５が防塵カバーＫに接する状態を維持して隙間を形成することがなく、塵埃が原動部８に落下することを防止できる。
【００５５】
〔別実施形態〕
（１）上記実施形態では、天井壁部７０が、刈取部３側に位置するほど下方に位置する傾斜姿勢に形成されているものを示したが、天井壁部７０を水平姿勢に形成するものでもよい。
【００５６】
（２）上記実施形態では、前側縦壁部７２が多孔状体にて形成され、後側縦壁部７４が通気性の無い板体で形成されるものを示したが、前側縦壁部７２と後側縦壁部７４の夫々を通気性の無い板体で構成してもよく、又、前側縦壁部７２と後側縦壁部７４の夫々を多孔状体にて形成してもよい。
【００５７】
（３）上記実施形態では、可撓性シート体としてのゴムシート６５が、防塵カバーＫにおける前側縦壁部７２及び後側縦壁部７４の夫々に接する状態となるように構成されるものを示したが、ゴムシート６５が防塵カバーＫにおける前側縦壁部７２にのみ接する状態として、後側縦壁部７４とゴムシート６５との間に隙間が生じているように構成されるものでもよい。
【００５８】
（４）上記実施形態では、後側縦壁部７４が、脱穀装置４の供給口４４に近い箇所においては、天井壁部７０の上面よりも上方に突出する状態で設けられる構成としたが、図１６に示すように、後側縦壁部７４が、天井壁部７０の後部側縁部７３の全域にわたって、その上縁部が天井壁部７０の上面と同じ高さになり、天井壁部７０の上面よりも上方に突出しない形態で設けられる構成としてもよい。
【００５９】
（５）上記実施形態では、防塵カバーＫが硬質材の一例として板金材にて構成するものを示したが、硬質の合成樹脂材等にて構成してもよい。
【００６０】
（６）上記実施形態では、刈取部３が、搭乗運転部７側とは反対側に位置する縦向き軸芯Ｙ周りで揺動自在に走行機体２に支持され、刈取部３を縦向き軸芯Ｙ周りで揺動操作させて走行機体２の前方側を開放するメンテナンス用退避状態とに切り換えることができるように構成したが、このような構成に代えて、刈取部３を着脱自在に走行機体２に連結する構成として、刈取部３を走行機体２から取り外して外方側に分離することで走行機体２の前方側を開放するメンテナンス用退避状態とに切り換える構成としてもよく、刈取部３がメンテナンス作用退避状態に切り換え不能な構成でもよい。
【産業上の利用可能性】
【００６１】
本発明は、刈取部にて刈り取った穀稈を株元を挟持して搬送しながら脱穀処理するようにした自脱型コンバインに適用できる。
【符号の説明】
【００６２】
２    走行機体
３    刈取部
４    脱穀装置
６    仕切り壁
７    搭乗運転部
８    原動部
１７  通風手段
３７  刈取装置
３８  穀稈搬送装置
４２  フィードチェーン
４３  入口プレート
４４  供給口
６５  可撓性シート体
７０  天井壁部
７１  前部側縁部
７２  前側縦壁部
７３  後部側縁部
７４  後側縦壁部
８２  通気孔
Ｋ    防塵カバー
【図１】
2011244785.tif 000003
【図２】
2011244785.tif 000004
【図３】
2011244785.tif 000005
【図４】
2011244785.tif 000006
【図５】
2011244785.tif 000007
【図６】
2011244785.tif 000008
【図７】
2011244785.tif 000009
【図８】
2011244785.tif 000010
【図９】
2011244785.tif 000011
【図１０】
2011244785.tif 000012
【図１１】
2011244785.tif 000013
【図１２】
2011244785.tif 000014
【図１３】
2011244785.tif 000015
【図１４】
2011244785.tif 000016
【図１５】
2011244785.tif 000017
【図１６】
2011244785.tif 000018